(57)【要約】空気圧のみの助けで、または自己収縮特性と組み合わせて、微細ミストの形態で内容物を円滑にスプレーすることができるディスペンサーを開示する。このディスペンサーは、空気圧を用いて内容物を分配する使い捨てのディスペンサーや、空気圧と自己収縮特性を用いて内容物を分配する再利用可能なディスペンサーを含む。使い捨てのディスペンサーは、第１タイプの使い捨てのディスペンサーと、第２タイプの使い捨てディスペンサーを含む。第１タイプの使い捨てのディスペンサーは、内容物及び空気圧で充填される容器と、その容器の上端に取り付けられる弁と、その弁を押圧するための押しボタンとを具える。この第１タイプの使い捨てのディスペンサーは、内容物が微細ミストの形態でスプレーすることができるように、補助空気圧を前記弁の内部に適用するための前記弁の一側面に空気吸引孔を更に有する。第２タイプの使い捨てのディスペンサーは、内容物及び空気圧で充填される容器と、この容器の上部に取り付けられる弁と、弁を押圧するための押しボタンとを具える。この第２タイプの使い捨てディスペンサーは、前記弁の近くに取り付けられた補助弁を更に具え、それによって、内容物が微細ミストの形態でスプレーすることができるように、前記弁の空気圧を補充するため、容器内の空気圧を、押しボタンまで案内する。空気圧と自己収縮特性を用いるディスペンサーは、外側容器と、この外側容器内に取り付けられ、かつ自己収縮特性を有する内側容器と、この内側容器の内容物を放出するための弁と、この弁を押圧するための押しボタンと、追加の空気圧を前記押しボタンに適用するため、前記弁の近くに取り付けられた補助弁とを具える。
2008542134.tif 000002
【特許請求の範囲】
【請求項１】
空気及び内容物が充填される外側容器と、該外側容器の開口した上端に連結される固定体と、加圧空気を用いて前記内容物を選択的に分配するために前記固定体内に取り付けられる弁と、該弁を押圧するために前記弁の頂部に連結され、それによって前記内容物と空気を噴出させる押しボタンとを有する、空気圧を用いた使い捨て型のディスペンサーであって、
前記弁は、中空の本体と、該本体の頂部に弾性的に支持され、前記本体の中空部の内外に移動する中空の弁体と、オリフィスパイプをブロックするために前記弁体上に取り付けられるパッキン部材と、前記外側容器の空気圧を補充するために前記本体を貫通するように形成される空気吸引孔とを具えるディスペンサー。
【請求項２】
開口した上端を有し、かつ内容物と空気で充填される外側容器と、該外側容器の開口した前記上端に連結される固定体と、内容物と空気圧を選択的に放出するために前記固定体内に取り付けられた弁と、該弁を押圧することによって、前記内容物と空気圧を噴出させるための押しボタンとを有する、空気圧を用いた使い捨て型のディスペンサーであって、
前記ディスペンサーは、前記外側容器内の空気圧を、前記押しボタンまで案内することによって、前記弁を通じて放出される前記内容物と空気圧に、更なる空気圧を適用するために、前記弁の近くに取り付けられる補助弁を更に具え、
前記補助弁は、前記固定体内に配置される中空の補助本体と、該補助本体の頂部に弾性的に支持され、かつ前記補助本体の内外に移動する中空の補助弁体と、前記補助弁体内に形成されるオリフィスパイプをブロックするための補助パッキン部材とを具え、
前記押しボタンは、前記弁及び前記補助弁を同時に押圧するディスペンサー。
【請求項３】
それぞれの開口した上下端をもつ円筒形状を有する外側容器と、該外側容器の前記上端に連結される上側キャップと、前記外側容器の前記下端に固定連結される下側キャップと、前記上側キャップの下部に固定され、内容物と空気圧で充填され、そして自己収縮特性を有する内側容器と、前記内容物と空気圧を選択的に分配するために前記上側キャップ内に取り付けられる弁と、前記弁の押圧に応じて前記弁から分配される前記内容物と空気圧を噴出させるための押しボタンとを有する再利用可能型のディスペンサーであって、
前記ディスペンサーは、前記内側容器内の空気圧を、前記押しボタンの方に向かって案内し、それによって、前記弁から分配される前記内容物と加圧空気に、更なる空気圧を加えるための補助弁を更に具え、
前記補助弁は、前記上側キャップの端部を貫通するような方法で形成される補助取付部内に設けられる補助固定体と、該補助固定体内に配置され、かつ鉛直方向に弾性的に移動する補助弁体と、該補助弁体の補助オリフィスパイプをブロックするための補助パッキン部材とを具え、
前記押しボタンは、前記弁及び前記補助弁を同時に押圧するディスペンサー。
【請求項４】
前記外側容器、前記上側キャップ及び前記下側キャップは、合成樹脂製であり、前記上側キャップと前記下側キャップは、挿入ジョイント法及び高周波溶接法によって、前記外側容器に連結される請求項３に記載のディスペンサー。
【発明の詳細な説明】
【技術分野】
【０００１】
本発明は、ディスペンサーに関するものであり、より詳細には、コンテナ内の物質を、微細ミストの形態で、空気圧を用いて、または空気圧と自己収縮特性の双方を用いて、円滑に分配することができるディスペンサーに関するものである。
【背景技術】
【０００２】
一般に、エアロゾルは、空気圧助力付きのディスペンサーを用いて、殺虫剤、消臭スプレー、脱臭剤、ヘアースタイリング剤及び防食剤のような液状内容物を噴出するために用いられる。エアロゾルは、キャリアガスとしてブタンガスを用いる。したがって、エアロゾルは、それが環境汚染を生じさせる問題がある。この問題を解決するため、空気圧または、空気圧と自己収縮特性の双方を用いて、液体を分配できるディスペンサーは、本発明の出願人によって開発され、また、韓国の実用新案登録第４８６０１５号公報において開示される。
【０００３】
上述のディスペンサーを含む大部分のディスペンサーは、図１に示されるように構成される弁を有する。図１に言及すると、従来のディスペンサーは、外側容器２、固定体３、弁１０及び押しボタン５を有する。
【０００４】
外側容器２は、開口した上端を有する。外側容器２の上端部は、その上端縁に近づくにつれて階段状に小さくなる。外側容器２の上端は、固定体３に連結され、弁１０は固定体３内に取り付けられ、このようにして、外側容器２は封止される。
【０００５】
固定体３は、金属パネル製であり、リング形状を有する。固定体３は、その固定体の上端縁に近づくほど階段状に小さくなる。固定体３は、外側容器２の上端部が、固定体３の下端部内に挿入されるような方法で外側容器２に連結される。固定体３は、その固定体上面上に外側容器２の内部空間に連通される弁取付孔４を有し、弁１０が弁取付孔４内に取り付けられる。
【０００６】
弁１０は、固定体３内に配設される中空の円筒体１１と、この円筒体１１の上端部に取り付けられ、円筒体１１の内外に移動する中空の弁体１２と、弁体１２を貫通するように取り付けられて、弁体１２の中空部に連結されるオリフィスパイプ１３と、弁体１２を弾性的に支持するために弁体１２の下方に取り付けられるばね１４と、オリフィスパイプ１３を封止するためのパッキン部材１５とを有する。弁１０を作動させるための押しボタン５は、弁１０の頂部に連結される。
【０００７】
押しボタン５の下に配置される吐出管６は、弁体１２の上端部内に挿入され、吐出管６が弁１２の内部空間に連通させる。吐出管６は、押しボタン５の側面に開口している。吐出管６は、吐出口を有し、ノズル７は、内容物をスプレーするため、吐出管６の吐出口上に取り付けられる。
【０００８】
上述のディスペンサー１の動作は、簡潔に説明されるであろう。第１に、外側容器２は、内容物と空気圧で充填される。次に、ユーザが押しボタン５を押圧すると、内容物がノズル７を通じてスプレーされる。押しボタン５が押圧されると、弁体１２もまた、下方へ押圧され、パッキン部材１５によって閉鎖されたオリフィスパイプ１３が開放される。したがって、外側容器２内の内容物は、ストロー２０を通って上方へ移動し、前記本体１１の中空部を通過し、そして噴出させる。
【０００９】
しかしながら、上述のディスペンサーは、外側容器内の空気圧が不十分であるので、整髪剤のような微細ミストをスプレーするのに用いることが困難であるという問題がある。
【発明の開示】
【発明が解決しようとする課題】
【００１０】
上記の問題を解決するため、本発明の目的は、内容物を分配する場合に、追加の空気圧が内圧（空気圧）に加えられることで、微細ミストをスプレーすることができるディスペンサーを提供することにある。
【００１１】
本発明の更なる目的は、低コストで製造することができ、かつ、外側容器、上側キャップ及び下側キャップを合成樹脂で製造し、それらを高周波溶接法によって結合することによって再利用することができるディスペンサーを提供することにある。
【課題を解決するための手段】
【００１２】
本発明の一態様に従う、上記の目的及び有利な効果を達成するため、空気圧及び内容物が充填される外側容器と、該外側容器の開口した上端に連結される固定体と、前記内容物と加圧空気を選択的に分配するために前記固定体内に取り付けられる弁と、該弁を押圧するために前記弁の頂部に連結され、それによって前記内容物と空気を噴出させる押しボタンとを有する、空気圧を用いた使い捨て型のディスペンサーであって、前記弁は、中空の本体と、該本体の頂部に弾性的に支持され、前記本体の中空部の内外に移動する中空の弁体と、オリフィスパイプをブロックするために前記弁体上に取り付けられるパッキン部材と、前記外側容器の空気圧を補充するために前記本体を貫通するように形成される空気吸引孔とを具えるディスペンサーを提供する。
【００１３】
本発明の更なる態様によれば、開口した上端を有し、かつ内容物と空気で充填される外側容器と、該外側容器の開口した前記上端に連結される固定体と、内容物と空気圧を選択的に放出するために前記固定体内に取り付けられた弁と、該弁を押圧することによって、前記内容物と空気圧を噴出させるための押しボタンとを有する、空気圧を用いた使い捨て型のディスペンサーであって、前記ディスペンサーは、前記外側容器内の空気圧を、前記押しボタンまで案内することによって、前記弁を通じて放出される前記内容物と空気圧に、更なる空気圧を適用するために、前記弁の近くに取り付けられる補助弁を更に具え、前記補助弁は、前記固定体内に配置される中空の補助本体と、該補助本体の頂部に弾性的に支持され、かつ前記補助本体の内外に移動する中空の補助弁体と、前記補助弁体内に形成されるオリフィスパイプをブロックするための補助パッキン部材とを具え、前記押しボタンは、前記弁及び前記補助弁を同時に押圧するディスペンサーを提供する。
【００１４】
本発明の更なる態様によれば、それぞれの開口した上下端をもつ円筒形状を有する外側容器と、該外側容器の前記上端に連結される上側キャップと、前記外側容器の前記下端に固定連結される下側キャップと、前記上側キャップの下部に固定され、内容物と空気圧で充填され、そして自己収縮特性を有する内側容器と、前記内容物と空気圧を選択的に分配するために前記上側キャップ内に取り付けられる弁と、前記弁の押圧によって前記弁から分配される前記内容物と空気圧を噴出させるための押しボタンとを有する再利用可能型のディスペンサーであって、前記ディスペンサーは、前記内側容器内の空気圧を、前記押しボタンの方に向かって案内し、それによって、前記弁から分配される前記内容物と加圧空気に、更なる空気圧を適用するための補助弁を更に具え、前記補助弁は、前記上側キャップの端部を貫通するような方法で形成される補助取付部内に設けられる補助固定体と、該補助固定体内に配置され、かつ鉛直方向に弾性的に移動する補助弁体と、該補助弁体の補助オリフィスパイプをブロックするための補助パッキン部材とを具え、前記押しボタンは、前記弁及び前記補助弁を同時に押圧するディスペンサーを提供する。
【００１５】
前記外側容器、前記上側キャップ及び前記下側キャップは合成樹脂製であり、前記上側キャップと前記下側キャップは、挿入ジョイント法及び高周波溶接法によって前記外側容器に連結される。
【発明を実施するための最良の形態】
【００１６】
本発明の第１の実施形態に従うディスペンサーは、空気圧を用いて内容物を分配できる使い捨てのディスペンサーである。図２を参照すると、本発明の第１の実施形態に従うディスペンサーは、外側容器２、固定体３、弁１１０及び押しボタン５を有する。ディスペンサーは、中空の本体１１１を、その本体１１１の外部空間と連通させるため、前記弁１１０の本体１１１の下部を貫通するように形成される空気吸引管（又は孔）１１６を更に有する。
【００１７】
前記弁１１０は、固定体３の弁取付孔４内に取り付けられる。より詳細には、前記弁１１０の前記円筒状の中空本体１１１は固定体３内に固定され、中空の弁体１１２は、前記本体１１１の上端部に配置され、前記本体１１１の内外に移動する。オリフィスパイプ１１３は、それが弁体１１２を貫通し、中空の弁体１１２と連通するような方法で、弁体１１２の外面上に取り付けられる。ばね１１４は、弁体１１２を弾性的に支持するために弁体１１２の下方に配置される。パッキン部材１１５は、オリフィスパイプ１１３をブロックするため、弁体１１２の外面上に配置される。弁１１０の本体１１１は、空気吸引孔が本体１１１の内部空間と連通させるため、本体１１１を貫通するように形成される空気吸引孔１１６を更に有する。
【００１８】
空気吸引孔１１６は、外側容器内の内容物がストロー２０を通して上方へ移動するときに、外側容器内の空気圧（内圧）に、追加の空気圧を加える役割を担い、それは、内容物が微細ミストの形態でノズルを通じてスプレーされるのを助ける。
【００１９】
本発明の第２の実施形態に従うディスペンサーは、本発明の第１の実施形態に従うディスペンサーのように、空気圧を用いて内容物を噴出するための使い捨てのディスペンサーである。図３及び図４を参照すると、本発明の第２の実施形態に従うディスペンサーは、外側容器２、固定体３、弁１０及び押しボタン５を有する。ディスペンサーは、補助弁２１０を更に有する。
【００２０】
補助弁２１０は、本発明の第１の実施形態に従うディスペンサーの空気吸引孔１１６と同じ役割を担う。第１の実施形態に従うディスペンサーの空気吸引孔は、弁１１０の本体１１１の空気圧を補充するが、補助弁２１０は押しボタン５の吐出管６内の空気圧を補充する。
【００２１】
第１の実施形態と第２の実施形態の間の相違を相殺するため、補助弁取付孔２０１は、固定体３の弁取付孔４の近くに形成され、補助本体２１１は、補助弁取付孔２０１に接続されるような方法で、前記本体１１１の側面に形成される。更に、補助弁体２１２及び補助ばね２１４は、補助弁体２１２が補助ばね２１４によって弾性的に支持され、補助本体２１１の内外に移動するように、補助本体２１１上に配置される。またさらに、補助パッキン部材２１５は、補助オリフィスパイプ２１３をブロックするために加えられる。押しボタン５は、弁体１２及び補助弁体２１２を同時に押圧するような方法で取り付けられる。
【００２２】
弁体１２及び補助弁体２１２が押しボタン５によって同時に押圧されると、内容物と空気は、中空の弁体１２内に放出され、空気のみが、中空の補助弁体２１２に放出され、追加の空気圧が、押しボタン５の吐出管６内の内容物と空気圧に適用される。結果として、内容物は、微細ミストの形態でノズル７を通じてスプレーすることができる。
【００２３】
本発明の第３の実施形態に従うディスペンサーは、空気圧と自己収縮力の双方を用いて内容物をスプレーすることができる補充ディスペンサーである。図５及び図６を参照すると、本発明の第３の実施形態に従うディスペンサーは、外側容器３１０、上側パック（キャップ）３２０、下側キャップ３３０、内側容器３７０、弁３４０及び押しボタン３６０を有する。
【００２４】
外側容器３１０は、合成樹脂製であり、開口した上下端を有する円筒形状を有する。上側キャップ３２０と下側キャップ３３０は、外側容器３１０を封止するため、外側容器３１０の上下端に、それぞれ連結される。
【００２５】
上側キャップ３２０は、外側容器３１０と同様な合成樹脂製であり、高周波溶接法によって外側容器３１０の上端に連結される。上側キャップ３２０は、第２の実施形態における、固定体３と弁体２１１の組合せと同じ役割を担う。上側キャップ３２０は、その下側中央部分に突出部３２1を有し、この突出部３２1は、その中央部分に中空部を有し、外側容器３１０内に延在する。上側キャップ３２０は、その上側中央部分に、弁３４０が取り付けられる取付部３２２を更に有する。ストロー３８０は、前記突出部３２１の下端部に連結される。さらに、上側キャップ３２０は、その上に補助弁３５０を取り付けるため、取付部３２２の近くに、補助取付部３２４を更に有し、前記補助取付部３２４から突出部３２１の下端まで延在する貫通孔は、上側キャップ３２０内に形成される。すなわち、取付部３２２と補助取付部３２４は、上側キャップ３２０を貫通して、突出部３２1の下端まで延在し、ストロー３８０は取付部３２２の下端に取り付けられる。
【００２６】
弁３４０は、取付部３２２内に固定され、かつ挿入される固定体３４２と、鉛直方向に移動することができるような方法で、前記固定体３４２内に配置される弁体３４４と、この弁体３４４を弾性的に支持するためのばね３４６と、前記弁体３４４のオリフィスパイプ３４５をブロックするためのパッキン部材３４７とを有する。
【００２７】
補助弁３５０は、補助取付部３２４内に固定される補助固定体３５２と、鉛直方向に移動することができるような方法で、補助固定体３５２内に配置される補助弁体３５４と、補助弁体３５４を弾性的に支持する補助ばね３５６と、補助弁体３５４の補助オリフィスパイプ３５５をブロックするための補助パッキン部材３５７とを有する。
【００２８】
押しボタン３６０は、弁３４０及び補助弁３５０にそれぞれ属する弁体３４４及び補助弁体３５４上に取り付けられる。
【００２９】
内側容器３７０は、自己収縮特性を有し、外側容器３１０内に配置される。内側容器３７０は、挿入法によって突出部３２１の上部に固定される。したがって、突出部３２１を貫通するように形成される前記取付部３２２と補助取付部３２４は、内側容器の内部空間に連通させる。ストロー３８０は、取付部３２２の下端に挿入され、内側容器３７０の底部にまで延在する。
【００３０】
下側キャップ３３０はまた、上側キャップ３２０と同様な合成樹脂製である。下側キャップ３３０は、外側容器３１０の下端が挿入されるリング状の溝３３２を有する。下側キャップ３３０と外側容器３１０との間の境界は、高周波溶接法によって溶接される。
【産業上の利用可能性】
【００３１】
本発明によれば、ディスペンサーは、空気圧を補充するため、空気吸引孔または補助弁を有し、それによって微細ミストの形態でノズルを通じて内容物をスプレーする。
【００３２】
ディスペンサーの外面を構成する外側容器、上側キャップ及び下側キャップが合成樹脂製であるので、ディスペンサーは、軽量であり、また、再利用することができる。
【００３３】
本発明に従うディスペンサーは、上述した実施形態には限定されないが、多くの変更及び改良が、本発明の原理及び範囲から実質的に逸脱することなしに、好ましい実施形態に対して行うことができる。
【図面の簡単な説明】
【００３４】
【図１】従来技術に従うディスペンサーを説明する断面図である。
【図２】本発明の第１の実施形態に従うディスペンサーの弁を説明する断面図である。
【図３】本発明の第２の実施形態に従うディスペンサーの弁を説明する断面図である。
【図４】図３に示される弁の動作を説明する断面図である。
【図５】本発明の第３の実施形態に従うディスペンサーを説明する断面図である。
【図６】図５に示されるディスペンサーの弁を説明する断面図である。
【図１】
2008542134.tif 000003
【図２】
2008542134.tif 000004
【図３】
2008542134.tif 000005
【図４】
2008542134.tif 000006
【図５】
2008542134.tif 000007
【図６】
2008542134.tif 000008
【国際調査報告】
2008542134.tif 000009
2008542134.tif 000010